(57)【特許請求の範囲】
【請求項１】
単糸デニールが１〜２デニールのポリエチレンテレフタレート細繊維と、単糸デニールが２デニールを超え３．５デニール以下のポリエチレンテレフタレート太繊維とが混在して交絡し、両繊維の単糸デニールの差が１デニール以上、かつ両繊維の割合（重量比）が８０／２０〜２０／８０である、スパンレース方式により得られた交絡不織布であって、穴あけ加工された不織布を含んで構成され、その開口数が３０〜３００個／ｉｎ2 で、かつ開口率が５〜５０％である交絡不織布、および／または凹部が形成された不織布を含んで構成され、その凹部の数が３０〜３００個／ｉｎ2 であり、かつ凹部の密度が凹部でない密度の５０％以下の交絡不織布からなることを特徴とする床面掃除用シート。
【発明の詳細な説明】
【０００１】
【発明の属する技術分野】
本発明は、フローリング用あるいはその他の清掃用に用いられる床面掃除用シートに関する。
【０００２】
【従来の技術】
近年、乳幼児がいたり、アレルギーあるいは花粉症で悩んでいる人、高齢の人や夜しか掃除ができないような人など、音や埃が出たり、重くて取り扱い難い電気掃除機のようなものをかけられない家のため、不織布からなる掃除用シートが提案されている（特開平４−３１２４３０号公報、特開平４−９６７２４号公報）。
【０００３】
このようなフローリング用あるいはその他の掃除用シートとしては、例えばポリエチレンテレフタレート（ＰＥＴ）／レーヨン、ポリプロピレンン（ＰＰ）／レーヨン、ＰＥＴ／ＰＰ、アクリル／ＰＥＴ、あるいはアクリル１００％の繊維から構成される交絡不織布、交絡不織布（ＰＰ１００％）にピンポイント加工したもの、乾式不織布（ＰＥ／ＰＰ）あるいは乾式不織布（ＰＥＴ／ＰＰ）にヒートエンボスしたものなどがある。
【０００４】
【発明が解決しようとする課題】
これらの掃除用シートは、いずれの場合も繊維間にゴミが入り微細なゴミを捕獲するが、比較的大きなゴミの捕獲は十分ではない。このため、ＰＥＴ／ＰＰの混合繊維をＰＰネツトの両側にスパンレース法により交絡させ、乾燥工程によりＰＥＴ／ＰＰの混合繊維とサンドイッチされたネットの熱収縮差から大きなウエーブ状の凹凸を形成させることで、比較的おおきなゴミを取りやすくしているものがあるが、かかる掃除用シートは床面に押しつけられると効果が減少し、またネットを有するため構成が複雑で加工も難しくコストが高くなるという問題がある。
【０００５】
本発明は、このような従来の掃除用シートの問題点を解決し、微細なゴミから比較的大きなゴミまで、雑多なゴミの捕獲が大幅に向上し、またゴミの量が多い場合にも十分対応に可能な床面掃除用シート（以下、単に掃除用シートともいう）を提供するものである。
【０００６】
本発明は、単糸デニールが１〜２デニールのポリエチレンテレフタレート細繊維と、単糸デニールが２デニールを超え３．５デニール以下のポリエチレンテレフタレート太繊維とが混在して交絡し、両繊維の単糸デニールの差が１デニール以上、かつ両繊維の割合（重量比）が８０／２０〜２０／８０である、スパンレース方式により得られた交絡不織布であって、穴あけ加工された不織布を含んで構成され、その開口数が３０〜３００個／ｉｎ2 で、かつ開口率が５〜５０％である交絡不織布、および／または凹部が形成された不織布を含んで構成され、その凹部の数が３０〜３００個／ｉｎ2 であり、かつ凹部の密度が凹部でない密度の５０％以下の交絡不織布からなることを特徴とする床面掃除用シートである。
【０００７】
【発明の実施の形態】
本発明は、かかる構成とすることにより、ゴミの捕獲の機能と保持の機能とを十分に兼ね備えたもので、微細なゴミから比較的大きなゴミまで、雑多なゴミの捕獲が大幅に向上し、またゴミの量が多い場合にも十分対応に可能であり、かつ拭き取り性能もきわめて良好である。なわち、不織布を特定範囲の異径繊維から構成することで、繊維空間が多くなり、このためゴミ捕獲性および保持性が従来品と比べて向上し、また比較的小さなゴミの捕獲も可能となる。
【０００８】
また、ゴミを捕獲するためには床などの掃除対象面に器具などにより押しつけた際に、既存の掃除用シートでは掃除対象面に比較的フラットに接触するため、獲得する効果が低いが、掃除用シートに穴を開け、あるいは凹凸を付与することで捕獲性が大幅に向上する。同時に捕獲したゴミは穴や凹部に入り込み保持されるため、ゴミの量が多い場合でも容易に対応できる。また、穴や凹凸により拭き取り性も一段と向上する。また、掃除用シートに穴を開けるととともに凹凸を付与し、また特定範囲の異径繊維から構成する不織布にこのような穴あるいは凹凸を付与することで、さらに効果的な掃除用シートを形成している。
【０００９】
ここで、本発明に係る不織布は、単糸デニールが１〜２デニールの細繊維と、単糸デニールが２デニールを超え３．５デニール以下の太繊維を使用し、両繊維の単糸デニールの差が１デニール以上、かつ両繊維の割合（重量比）が８０／２０〜２０／８０であることが必要であり、これらの範囲を外れると本発明の機能を十分に発揮するのが困難となる。すなわち、例えばフローリングを対象とした場合、大きなゴミでは人毛、土、パン粉、小さいゴミは小麦粉、ベビーパウダーなどであり、繊維の大きさが一様ではゴミの捕獲や保持が十分でなく、また単糸デニールが３．５デニールを超えると繊維間の間隙が大きくなり過ぎ間隙に捕獲したゴミを保持し難く、逆に１デニール未満のものでは間隙が小さくなり過ぎて捕獲、保持ともに困難となる。この場合、両繊維の単糸デニール差を１デニール以上で両繊維の割合（重量比）を８０／２０〜２０／８０とすることによって、両繊維の配置を不規則に効果的に配することができる。すなわち、形成された間隙の大きさが不規則となり、大きなゴミから小さなゴミまで確実に捕獲することが容易となるが、この範囲を外れると繊維配置の不規則性が不十分で大小のゴミを捕獲することが難しくなる。
【００１０】
以下、図面に基づいて本発明を説明する。図１は本発明の実施の形態を示す不織布からなる掃除用シートの模式図で、（ａ）は平面図、（ｂ）は（ａ）のＡ−Ａ断面図である。図において、符号１は、穴あき加工により多数の開口２を設けた掃除用シート（実施例２）である。この掃除用シート１は、１．４デニール×繊維長３８ｍｍのＰＥＴと３．０デニール×繊維長５１ｍｍのＰＥＴを５０／５０の重量比で混在した繊維ウエブ３を、スパンレース法により、交絡処理して不織布を形成し、さらに同法により１００個／ｉｎ２  、各開口２の大きさ丸相当で１．５φ、開口率２７％の穴あき加工を施したものであり、開口部を含めた平均秤量は５０ｇ／ｍ２  である。なお、繊維長は２５〜６５ｍｍの間で調整するのが好ましい。
【００１１】
この場合、開口２の数は３０〜３００個／ｉｎ2 、開口率は５〜５０％にする。開口数が３０個／ｉｎ2 未満であると、スパンレース法のネットの特徴から、穴の大きさが大きくなる傾向にあり、小さなゴミの捕獲、保持が悪くなり、一方３００個／ｉｎ2 より多いと、逆の理由で穴の大きさが小さくなって、大きなゴミの捕獲率が悪化する。また、開口率が５％未満では、ゴミを捕獲するための空間が少なくなってゴミの捕獲率が悪く、一方５０％を超えると、空間が多すぎて小さいゴミの捕獲、保持性が悪化して好ましくない。また、シート自体の強度も弱くなり、器具に取り付けて床面などを清掃する際に縒れやすい。なお、開口２は、図に示すようなパターンに限定されるものではなく、この他の任意のパターンを適用することができ、またパターンの規則性についても特に規制されるものではなく、平方ｉｎ当たりア５０％程度のばらつきがあってもよい。
【００１２】
次に、図２は、他の実施の形態を示す不織布からなる掃除用シートの模式図で、（ａ）は平面図、（ｂ）は（ａ）のＡ−Ａ断面図である。図において、符号１１は、他の部分より密度の低い、多数の凹部１２を設けた掃除用シート（実施例３）である。この掃除用シート１１は、１．４デニールラ繊維長３８ｍｍのＰＥＴと３．０デニールラ繊維長５１ｍｍのＰＥＴを５０／５０の重量比で混在したウエブ１３を、スパンレース法により、交絡処理して不織布を形成し、さらに同法により１００個／ｉｎ2 の凹部を形成するとともに、各凹部１２の秤量が１０ｇ／ｍ2 以下で凹部を含めた平均秤量を５０ｇ／ｍ2 となるようにした。この場合、凹口１２の数は３０〜３００個／ｉｎ2 とする必要があり、凹部数が３０個／ｉｎ2 未満であると凹部の大きさが大きくなり、小さなゴミの捕獲、保持が悪くなり、一方３００個／ｉｎ2 より多いと凹部の大きさが小さくなって大きなゴミの捕獲率が悪化する。また、凹部はその密度を凹部でない部分の密度の５０％以下にする必要があり、これが５０％を超えると、凹凸の区別が十分につき難く、ゴミの捕獲や保存の有効性が悪くなって好ましくない。この密度比は必ずしも一様な値である必要はなく、５０％以下であれば任意の範囲にすることができる。なお、０％の場合は、穴を形成していることになる。
【００１３】
図３は、スパンレース法による掃除用シートの製造工程を示す模式図である。図において、符号２１は、目の細かいエンドレスネットコンベアーであり、その中間部に加圧水の噴射ノズル２２が設けられるとともに、ネットコンベアー２１の下流位置に、さらに目の粗いエンドレスネットコンベアー２３と加圧水の噴射ノズル２４が設けられており、細繊維と太繊維とが不規則に混在されたウエブ２５が、ネットコンベアー２１に送られ、噴射ノズル２２の位置で噴出される加圧水により交絡処理され交絡不織布２６を形成する。この交絡不織布２６を引き続いてネットコンベアー２３に送り、噴射ノズル２４で加圧水を噴出して穴あけ加工（スパンレース法）が行われる。また、この場合、穴あけを起こさないように噴射ノズル２４における水圧を弱めたり、水の流量を少なくするこることで（スパンレース法）、密度の低い部分のパターンを付与することによって凹凸を形成した交絡不織布を得ることができる。このとき、水圧が高い場合や水の流量が多いと穴部が形成されるが、水圧は比較的低いため穴部に相当する部分に繊維毛羽により凹部が形成される。
【００１４】
本発明に係る繊維は、前記のＰＥＴ／ＰＥＴの組み合わせで用いられる。スパンレース法において、乾燥工程が、繊維が熱溶着するほどの乾燥温度であるときは、熱溶融性バインダー繊維が含まれていると乾燥工程で繊維が熱溶着し繊維間の間隙がなくなるため、熱溶融性バインダー繊維との組み合わせは避けた方が好ましい。交絡処理あるいは穴あけや凹部形成は、ネットコンベアーまたはネットを被覆した有孔ドラム式コンベアー上で高圧水を噴射する方式（スパンレース法）で行う。スパンレース法により、加工の際に発生する不織布表面の毛羽によりゴミの捕獲性に優れる。
なお、本発明の掃除用シートには、その両面あるいは片面に、鉱物油系油剤、流動パラフィン、抗菌剤、抗カビ剤、着塵剤およびシリコーンの群から選ばれた少なくとも１種の機能性付与剤を、０．３〜１０ｇ／ｍ2 塗布してものであってもよい。
【００１５】
【実施例】
以下、実施例により本発明をさらに具体的に説明するが、本発明はこれら実施例に限定されるものではない。
【００１６】
実施例１〜３、比較例１〜２
図１に示す穴あき加工により多数の開口２を設けた掃除用シート（実施例２）、図２に示す他の部分より密度の低い、多数の凹部１２を設けた掃除用シート（実施例３）、および実施例２において開口２を設けていない掃除用シート（実施例１）と、図４（ａ）、（ｂ）に示す従来の掃除用シートである市販品Ａ（比較例１）並びに市販品Ｂ（比較例２）について、次のような比較テストを行ってゴミの付着と吸着効果を調べた。その結果を、それぞれ表１（付着量）と表２（吸着量）に示す。なお、市販品Ａは寒冷紗３１を挟んでその両面に秤量６０ｇ／ｍ２  のＰＥＴ／レーヨン構成からなる交絡不織布３２を配し、その表面に鉱物系油材と抗菌抗カビ剤を塗布したものである。また、市販品Ｂは秤量４５ｇ／ｍ２  のＰＥＴ／アクリル構成からなる交絡不織布３３で一層構造にしたものである。
【００１７】
テストは一定量のゴミを試験面に散布しワイパー器具で拭き取ることで行った。ワイパー器具は、拭き取り面サイズ１０ｃｍ×２５．５ｃｍの一般的なワイパー器具により、拭き取り試験面寸法は３０ｃｍ×６０ｃｍの白木（松、集成材）を使用した。
【００１８】
使用するゴミおよび量は、以下のとおりである。
人毛（髪の毛長さ約１０ｃｍ）；            １０本
土（花壇の土を２０メッシュの網で漉したもの）；１ｇ
繊維くず（レーヨン３デニール×５ｍｍ）；    １ｇ
砂糖〔上白糖、（株）竹村商店〕；            １ｇ
塩〔精製塩、日本たばこ産業（株）製〕；      １ｇ
インスタントコーヒー〔ネスカフェエクセラ、
（株）ネッスル日本製〕；                      １ｇ
小麦粉〔薄力小麦粉、日本製粉（株）製〕；    １ｇ
ベビーパウダー〔ジョンソンズベビー、ジョンソン・
エンド・ジョンソン（株）製〕；                １ｇ
パン粉〔パン粉ソフト、雪印食品（株）製〕；  １ｇ
【００１９】
テスト方法
▲１▼試験面にゴミを一定量散布する。
▲２▼試料の掃除用シートをワイパー器具にセットする。
▲３▼拭き取り圧力が変わらないようワイパー器具の先端を持ち、器具の重さだけが試料にかかる状態で５往復拭き取る（ゴミが端によってしまうときはワイパーを持ち上げゴミの上に置き直す）。
▲４▼試料を取り外し、ゴミの重量を測定する（付着量）。
▲５▼付着量の弱いゴミを脱落させるため、試料の一隅を持ち軽く２回払い落としてゴミの重量を測定する（吸着量）。
髪の毛の場合は本数を目視にて数え割合とした（１０本中何本取れたかを割合で示す）。
▲６▼付着量、吸着量をそれぞれ合計し順位をつける。
【００２０】
【表１】
0003557047.tif 000002
【００２１】
【表２】
0003557047.tif 000003
【００２２】
【発明の効果】
以上に説明した如く、本発明によれば、従来の掃除用シートに比較して格段に向上し、微細なゴミから比較的大きなゴミまで確実かつ容易に除去でき、大小の様々な雑多なゴミの捕獲性および保持性に著しく優れているという顕著な効果を奏する。
【図面の簡単な説明】
【図１】本発明の実施の形態を示す模式図で、（ａ）は平面図、（ｂ）は（ａ）のＡ−Ａ断面図である。
【図２】本発明の他の実施形態を示す模式図で、（ａ）は平面図、（ｂ）は（ａ）のＡ−Ａ断面図である。
【図３】本発明の製造工程を示す模式図である。
【図４】従来の市販品の形態を示す断面模式図で、（ａ）は市販品Ａ、（ｂ）は市販品Ｂである。
【符号の説明】
１    掃除用シート
２    開口
３    ウエブ
１１  掃除用シート
１２  凹部
１３  ウエブ
２１  ネットコンベアー
２２  噴射ノズル
２３  ネットコンベアー
２４  噴射ノズル
２５  ウエブ
２６  交絡不織布
３１  寒冷紗
３２  交絡不織布
３３  交絡不織布
【図１】
0003557047.tif 000004
【図２】
0003557047.tif 000005
【図３】
0003557047.tif 000006
【図４】
0003557047.tif 000007